(57)【特許請求の範囲】
【請求項１】
本体ケーシング（２０）、前記本体ケーシングの底部（７７）に接続されているスタンド（２５）、前記本体ケーシング内に内部空間を形成するためのハウジング、及び前記ハウジングの下壁（７３）の一部分である前記底部の支持面（７５）に形成されているロック部（７５ａ）を有する本体（７０，８０）と、
前記ハウジング内に収納され、前記本体内に配置され、清浄化される空気に湿気を与えるための加湿エレメント（５０）と、
前記ハウジング内に収納され、前記支持面に押される下面（４０ｅ）及び前記下面に形成されている被ロック部（４０ｈ）を有し、前記本体に側方から装着され、前記本体に装着されたときに前記加湿エレメントの周囲を含む前記内部空間を外部空間から仕切り、前記加湿エレメントに水を供給する水トレイ（４０）と、
を備え、
前記本体は、前記本体ケーシングの前記底部が前記スタンドよりも狭くなるように下方部が椀状に成形され、
前記ロック部は、前記ロック部に前記被ロック部が突き当たるまで前記水トレイと摺動する頂部を有し、
前記水トレイの前記被ロック部は、前記水トレイが前記本体に装着されたときに前記外部空間に面しないところで前記ロック部にロックされる、空気清浄機。
【請求項２】
前記水トレイは、前記内部空間と前記外部空間との間を仕切り、前記ハウジングとともに前記内部空間を形成するための仕切板を有し、前記仕切板よりも前記加湿エレメント側で前記被ロック部が前記ロック部にロックされる、
請求項１に記載の空気清浄機。
【請求項３】
前記ロック部及び被ロック部は、前記水トレイの装着時に前記ロック部に前記被ロック部が突き当たるように構成され、突き当たった状態から装着が完了する状態に移行させるために、前記ロック部に前記被ロック部が突き当たるまでに要した力よりも強い力で押し込まなければならないように構成されている、
請求項１又は請求項２に記載の空気清浄機。
【請求項４】
前記被ロック部は、前記ロック部に前記被ロック部が突き当たるまでに前記水トレイと前記本体とが摺動している摺動領域よりも前記本体側に突出し、
前記ロック部は、前記水トレイ側に突出し、前記摺動領域で前記水トレイと摺動する頂部を有している、
請求項３に記載の空気清浄機。
【請求項５】
前記本体と前記仕切板との間に配置され、前記加湿エレメントの前記内部空間のシールを行うシール部材（９０，９２）をさらに備え、
前記ロック部は、前記内部空間から前記外部空間に抜ける開口部を持たない構造である、
請求項１から４のいずれか一項に記載の空気清浄機。
【発明の詳細な説明】
【技術分野】
【０００１】
本発明は、空気清浄機、特に、加湿機能を有する空気清浄機に関する。
【背景技術】
【０００２】
従来から、室内の空気中に浮遊している臭気成分、塵埃、菌、およびウィルス等を除去したり、分解したりすることで空気を浄化する空気清浄機がある。また、このような空気清浄機の中には、空気浄化機能だけではなく、室内空気の湿度を増加させるための加湿機能を有するものがある。このような加湿機能は、例えば、特許文献１（特開２００９−１４８３０５号公報）に開示されているような円板状の加湿ロータを用いて実現される。特許文献１の空気清浄機は、水を貯留する水トレイと、水トレイの水を空気中に放出するための円板状の加湿ロータとを備えている。加湿ロータは、その一部に水トレイからの水が供給されながら回転される。空気清浄機の内部に取りこまれた室内空気は、この加湿ロータを通過する際に加湿される。
【発明の概要】
【発明が解決しようとする課題】
【０００３】
従来の空気清浄機は、水トレイの清掃などが必要になるため、水トレイを空気清浄機に着脱できるように構成されているのが一般的である。このような空気清浄機では、例えば、水トレイの重さを利用してロックを行なうため、水トレイを着脱する際に水トレイを本体にロックするロック機構が本体の底部に形成される。特許文献１に記載されているように、従来の空気清浄機が略直方体の外観を呈することから、通常の使用状態では、水トレイに隠れて底部が見えないため、ロック機構によって空気清浄機の意匠が損なわれることはない。
【０００４】
ところが、空気清浄機をケーシングが例えば卵型のように下部の窄んだ形状にしてスタンドを設け、底部の一部がスタンドとして露出する構造にすると、ロック機構が見える恐れがあり、これらが見えると意匠性の低下を招く。特に、ロックの際に部材同士が擦れてロック機構の周囲が汚くなる場合があり、そのような場合には意匠性が著しく低下する。
【０００５】
本発明の課題は、加湿機能を持ち、意匠性に優れた空気清浄機を提供することにある。
【課題を解決するための手段】
【０００６】
本発明の第１観点に係る空気清浄機は、本体と加湿エレメントと水トレイとを備える。本体は本体ケーシングとスタンドとハウジングとロック部を有する。スタンドは、本体ケーシングの底部に接続されている。ハウジングは、本体ケーシング内に内部空間を形成するためのものである。ロック部は、ハウジングの下壁の一部分である底部の支持面に形成されている。水トレイは、ハウジング内に収納され、下面及び被ロック部を有する。下面は、支持面に押される。被ロック部は下面に形成されている。加湿エレメントは、ハウジング内に収納され、本体内に配置され、清浄化される空気に湿気を与えるためのものである。水トレイは、本体に側方から装着され、本体に装着されたときに加湿エレメントの周囲を含む内部空間を外部空間から仕切り、加湿エレメントに水を供給する。本体は、本体ケーシングの底部がスタンドよりも狭くなるように下方部が椀状に成形され、ロック部は、ロック部に被ロック部が突き当たるまで水トレイと摺動する頂部を有している。水トレイの被ロック部は、水トレイが本体に装着されたときに外部空間に面しないところでロック部にロックされる。
【０００７】
第１観点に係る空気清浄機によれば、外部空間から仕切られている内部空間を形成するためのハウジングにロック部が配置されている。水トレイの被ロック部が外部空間に面しないところで、このロック部でロックされる。そのため、水トレイが装着されるとロック部及び被ロック部が見えなくなると同時に、水トレイの装着時にロック部及び被ロック部による傷などが外部空間に位置する意匠面につく恐れもなくなる。
【０００８】
また、本体ケーシングの下方部が椀状に成形されることで、空気清浄機を見る者にコンパクトな印象を与えつつ、本体ケーシングの下方部を窄ませることによって必要になったスタンドにロック部が設けられないために、スタンドの形状が美しく保たれる。被ロック部も水トレイ装着時にハウジングに入るため、被ロック部によってスタンドが傷つけられることを防ぐこともできる。
【０００９】
本発明の第２観点に係る空気清浄機は、第１観点に係る空気清浄機において、水トレイは、内部空間と外部空間との間を仕切り、ハウジングとともに内部空間を形成するための仕切板を有し、仕切板よりも加湿エレメント側で被ロック部がロック部にロックされる。
【００１０】
第２観点に係る空気清浄機によれば、仕切板よりも加湿エレメント側で被ロック部がロック部にロックされることで、水トレイが内部空間の方に押されてハウジングに仕切板を押し付けることになるので、内部空間の形成において隙間を生じさせないようにすることが容易になる。
【００１１】
本発明の第３観点に係る空気清浄機は、第１観点又は第２観点に係る空気清浄機において、ロック部及び被ロック部は、水トレイの装着時にロック部に被ロック部が突き当たるように構成され、突き当たった状態から装着が完了する状態に移行させるために、ロック部に被ロック部が突き当たるまでに要した力よりも強い力で押し込まなければならないように構成されている。
【００１２】
第３観点に係る空気清浄機によれば、被ロック部がロック部に突き当たることで装着前に抵抗が増すため、ロック部及び被ロック部が見えなくても、ロック部によるロックが始まっているか否かをユーザーが手に伝わる感覚で知覚することができる。
【００１３】
本発明の第４観点に係る空気清浄機は、第３観点の空気清浄機において、被ロック部は、ロック部に被ロック部が突き当たるまでに水トレイと本体とが摺動している摺動領域よりも本体側に突出し、ロック部は、水トレイ側に突出し、摺動領域で水トレイと摺動する頂部を有している。
【００１４】
第４観点に係る空気清浄機によれば、被ロック部を突出させる一方、ロック部の突出した頂部で水トレイを摺動させるという簡単な構成で、人の触覚で知覚し得る抵抗の増加を生じさせることができる。
【００１５】
本発明の第５観点に係る空気清浄機は、第１観点から第４観点のいずれかに係る空気清浄機において、本体と仕切板との間に配置され、加湿エレメントの内部空間のシールを行うシール部材をさらに備え、ロック部は、内部空間から外部空間に抜ける開口部を持たない構造である。
【００１６】
第５観点に係る空気清浄機によれば、シール部材を用い、ロック部に開口部を持たせない構造とすることで、外部空間から内部空間に通じる空気の通路が生じるのを防いでいる。
【発明の効果】
【００１７】
本発明の第１観点に係る空気清浄機では、水トレイが装着されるとロック部及び被ロック部が見えなくなり、水トレイの装着時にロック部及び被ロック部による傷などが外部空間に位置する意匠面につく恐れもなくなるため、美しい意匠を長く保つことができ、加湿機能を持っていても意匠性に優れたものとなる。
【００１８】
また、本体ケーシングの下方部が椀状に窄んでいるためスタンドを設けるような形状においても、意匠に優れたものとすることができる。
【００１９】
本発明の第２観点に係る空気清浄機では、隙間の無い内部空間の形成が容易になり、加湿機能や空気清浄機能の低下を防ぐことができる。
【００２０】
本発明の第３観点に係る空気清浄機では、ロック部及び被ロック部が見えなくてもロックの始まりなどの知覚が容易であり、水トレイの装着を行ない易くなる。
【００２１】
本発明の第４観点に係る空気清浄機では、水トレイの装着し易い構成を持たせても安価に提供することができる。
【００２２】
本発明の第５観点に係る空気清浄機では、内部空間と外部空間との間に隙間が形成されず、加湿機能や空気清浄機能の低下を防ぐことができる。
【図面の簡単な説明】
【００２３】
【図１】一実施形態に係る加湿機の外観を示す斜視図。
【図２】一実施形態に係る加湿機の外観を示す斜視図。
【図３】加湿機における空気の流れを説明するための概念図。
【図４】左側板を開いた状態の加湿機の外観を示す斜視図。
【図５】水タンクと水トレイとファンケーシングとを取り除いた状態の加湿機の外観を示す斜視図。
【図６】本体ケーシングの内部を説明するための斜視図。
【図７】水トレイの斜視図。
【図８】（ａ）水トレイを構成する部品の平面図、（ｂ）水トレイを構成する部品の正面図、（ｃ）水トレイの仕切壁を説明するための図。
【図９】（ａ）水トレイを構成する部品の背面図、（ｂ）水トレイを構成する部品のＩ−Ｉ線断面図。
【図１０】水トレイの下面側の構造の詳細を示す一部拡大斜視図。
【図１１】ファンケーシングへの水トレイの装着を説明するための斜視図。
【図１２】ファンケーシングへの水トレイの装着を説明するための斜視図。
【図１３】ファンケーシングへの水トレイの装着を説明するための斜視図。
【図１４】ファンケーシングへの水トレイの装着を説明するための部分拡大断面図。
【図１５】ファンケーシングへの水トレイの装着を説明するための部分拡大断面図。
【図１６】ファンケーシングへの水トレイの装着を説明するための部分拡大断面図。
【図１７】ファンケーシングへの水トレイの装着を説明するための部分拡大断面図。
【発明を実施するための形態】
【００２４】
（１）空気清浄機の構成及び動作の概要
本発明の一実施形態に係る空気清浄機の全体構成の概要を図１及び図２に示す。図１は空気清浄機の正面に向かって右上方から見た斜視図であり、図２は空気清浄機の背面に向かって左上方から見た斜視図である。
【００２５】
空気清浄機１０は、本体ケーシング２０の多くの部分を曲面で構成することにより、平面のみで構成された略直方体形状の空気清浄機に比べて、卵のように優美でコンパクトな印象を与える。しかし、本体ケーシング２０だけでは安定性を欠くことから、空気清浄機１０は、安定性確保のためスタンド２５を備えている。
【００２６】
空気清浄機１０には、室内空気を取り込む吸込口１１と、加湿した空気を吹き出す吹出口１２がある。吸込口１１は、前方下方の吸込口１１ａと側方の吸込口１１ｂとからなる。
【００２７】
図３は、空気清浄機における塵埃の除去や分解と加湿の流れを説明するための概念図である。シロッコファン１６によって吸込口１１から吹出口１２に至る空気の流れ１３が発生する。吸込口１１から吸込まれた室内空気は、フィルタ部１４で塵埃や臭い成分などが取り除かれ、加湿部１５で加湿される。そして、シロッコファン１６から加湿された清浄な空気が吹き出される。
【００２８】
フィルタ部１４は、プレフィルタ１７ＡとＨＥＰＡ（Ｈｉｇｈ  Ｅｆｆｉｃｉｅｎｃｙ  Ｐａｒｔｉｃｕｌａｔｅ  Ａｉｒ  Ｆｉｌｔｅｒ）フィルタ１７Ｂと脱臭エレメント１７Ｃで構成されている。まず、空気清浄機１０が有するプレフィルタ１７Ａによって大きな塵埃が取り除かれる。次に、ＨＥＰＡフィルタ１７Ｂによってさらに微細な塵埃が取り除かれる。さらに、ＨＥＰＡフィルタ１７Ｂを通過した空気は、活性炭などを含む脱臭エレメント１７Ｃによってホルムアルデヒドや臭い成分などが分解されたり吸着されたりする。
【００２９】
加湿部１５は、加湿ロータ５０や水トレイ４０などを備えている。脱臭エレメント１７Ｃを通過した空気は、加湿部１５の加湿ロータ５０を通過する。加湿ロータ５０を空気が通過する際に、加湿ロータ５０から空気中に水分が放出される。放出されることによって減少する水分を補うため、加湿ロータ５０は、水トレイ４０から水の供給を受ける。
【００３０】
このような加湿機能を持つ空気清浄機１０の運転の切換えは、空気清浄機１０の上部に設けられている操作パネル１９によって行われる。操作パネル１９には、空気清浄機１０の運転のオン・オフ以外に、加湿運転のオン・オフを操作するスイッチが設けられている。操作パネル１９により、加湿を行わずに空気清浄のみを行なう運転モードと空気清浄と同時に加湿を行う運転モードとを切り換えることができる。
【００３１】
空気清浄のみを行う運転モードでは、加湿ロータ５０の回転が停止しており、加湿ロータ５０に水が供給されなくなる。そのため、加湿ロータ５０が乾いた後には水の空気中への放出が止まる。
【００３２】
（２）詳細構成
（２−１）水タンク
空気清浄機１０は、その外郭が本体ケーシング２０で覆われている。空気清浄機１０の左側部には、図４に示すように、水タンク３０が収納されている。本体ケーシング２０は、左側板２１が取り外せるようになっており、左側板２１に水タンク３０が取り付けられている。図示を省略するが、水タンク３０の下方には注水口が設けられている。
【００３３】
本体ケーシング２０は、空気清浄機１０の下方を窄めるように湾曲した左下側板２２が左側板２１の下に配置されている。この左下側板２２が水トレイ４０に取り付けられている。水タンク３０を装着すると、水タンク３０の下方の注水口から水タンク３０の水が水トレイ４０に注ぎ込まれる。
【００３４】
本体ケーシング２０内の水タンク３０の右側には、図３に示したシロッコファン１６の収納されたファンケーシング７０が配置されている。ファンケーシング７０は、吹出口１２に向かって上方に延びており、ファンケーシング７０の吹出口が本体ケーシング２０の吹出口１２に一致する。このファンケーシング７０には水トレイ４０の仕切板４５の一部が重ね合わされており、重ね合わされている部分の仕切板４５はファンケーシング７０に隙間なく接触している。
【００３５】
水タンク３０の上方には右側に張り出した膨出部３０ａが設けられている。水タンク３０が空気清浄機１０に装着された状態では、この膨出部３０ａが仕切板４５を押して、仕切板４５とファンケーシング７０との間に隙間が生じるのを防止している。
【００３６】
（２−２）水トレイ
図４の状態から、左側板２１と水タンク３０と水トレイ４０を取り除き、さらに、シロッコファンをファンケーシング７０とともに取り除いた状態が図５に示す状態である。水トレイ４０は、図５に示す外部空間Ｓｐ１から装着される。図５においてハニカム状の開口を有する正面側の部材がフィルタ支持部材８０である。フィルタ支持部材８０に、図３に示したプレフィルタ１７ＡやＨＥＰＡフィルタ１７Ｂや脱臭エレメント１７Ｃが取り付けられる。フィルタ支持部材８０には、背面側に段差部８５が設けられている。この段差部８５にも仕切板４５の一部が重ね合わされる。そして、この段差部８５については、仕切板４５が重ねあわされる部分にシール部材９０が貼り付けられている。シール部材９０は、例えば貫通孔の無いスポンジのように柔らかな発泡プラスチックで形成される。
【００３７】
図６は、図４の状態から、左下側板２２を除く本体ケーシング２０、水タンク３０及びフィルタ支持部材８０を取り外した状態を示している。図６は、空気清浄機１０の正面側左斜め上方から見た斜視図である。
【００３８】
水トレイ４０は、主に、水タンク３０の下に配置される受水部４１と、加湿ロータ５０の下部が水に浸漬されるロータ浸漬部４２と、仕切壁４３と、軸受け４４と、仕切板４５，４６とを備えている。加湿ロータ５０の軸を受ける軸受け４４は、ロータ浸漬部４２を構成する水トレイ４０の側壁の上に取り付けられている。
【００３９】
受水部４１とロータ浸漬部４２とは、仕切壁４３で仕切られている。仕切壁４３は、左下側板２２などで隠れている下方に受水部４１からロータ浸漬部４２に通じる開口部が設けられている。それにより、水が水トレイ４０に入っている状態で開口部が水で塞がれて、この開口部を通って受水部４１からロータ浸漬部４２に空気が抜けない構造になっている。
【００４０】
仕切板４５は、仕切壁４３の上から隙間なく上方に延びている。水トレイ４０が装着された状態では、仕切板４５がファンケーシング７０に隙間なく合わさる。そして、図６に示す状態で水トレイ４０がファンケーシング７０にロックされる。このロックされたときに、仕切板４６もファンケーシング７０に重ね合わされ、水トレイ４０とファンケーシング７０との隙間を塞ぐ。仕切板４５の上方には、弾力性のあるパッド９１が取り付けられている。水タンク３０が装着されたときに、水タンク３０によってパッド９１が押されるように構成されている。仕切板４５とファンケーシング７０とが重なる部分にシール部材９２（図１１参照）が設けられるのは、仕切板４５とフィルタ部材８０と重ね合わせる場合と同様である。
【００４１】
加湿ロータ５０が収納されている空間Ｓｐ２は、ファンケーシング７０とフィルタ支持部材８０とによって形成されるハウジングの内部の空間である。この空間Ｓｐ２は、側壁７１と上壁７２と下壁７３と後壁７４と仕切板４５，４６とフィルタ支持部材８０とで囲まれる。それにより、外部空間Ｓｐ１から空間Ｓｐ２が仕切られ、外部空間Ｓｐ１と空間Ｓｐ２とを繋ぐ経路は、吸込口１１や吹出口１２などの特定の経路に限られる。このハウジングは、フィルタ支持部材８０に形成されているハニカム状の開口部や後壁７４に設けられている開口部以外には、開口部を有していない。そのため、フィルタ支持部材８０から空間Ｓｐ２に供給された空気と同じ量の空気が、空間Ｓｐ２から後壁７４を抜けてシロッコファン１６に供給される。
【００４２】
図１、図２や図６などから分かるように、本体ケーシング２０は、下方部が椀状に窄んでいる。例えば、下壁７３は、側壁７１よりも内側に湾曲している。空気清浄機１０の底部を拡大するためにスタンド２５と接続される本体ケーシング２０の底部７７は、スタンド２５よりも狭くなっている。
【００４３】
図７は、水トレイの斜視図である。図８は、水トレイの受水部４１とロータ浸漬部４２と仕切壁４３と仕切板４６とを一体的に成形した部品の構成を示す図である。図８（ａ）はこの部品の平面図、図８（ｂ）はこの部品の正面図、図８（ｃ）は仕切壁の部分のみを示す側面図である。
【００４４】
図７に示すように、受水部４１には、水位を検知するためのフロート６０が設けられている。フロート６０には磁石が取り付けられており、ファンケーシング７０にリードスイッチが取り付けられている。このフロート６０の上下によって、磁石からリードスイッチまでの距離が変化する。受水部４１に溜められている水の水位が高くてフロート６０が上に上がっているときは、磁石とリードスイッチとの距離が短くなるのでリードスイッチが磁石を感知してオンする。一方、水位が低くなると磁石がフロート６０とともに下がるため、磁石とリードスイッチとの距離が長くなるのでリードスイッチが磁石を感知しなくなってオフする。
【００４５】
図８（ａ）に示すように、受水部４１と仕切壁４３の近傍にある２つのネジ穴４０ａには、仕切板４５を留めるためのネジがねじ込まれる。また、ロータ浸漬部４２の前方側壁４２ａ及び後方側壁４２ｂに夫々２つずつ設けられているネジ穴４０ｂ，４０ｃには、軸受け４４を留めるためのネジがねじ込まれる。
【００４６】
図８（ｂ）から分かるように、水トレイ４０の下方に仕切板４６が突出している。仕切板４６は水トレイ４０の下方において前後に長く延びている。また、仕切板４６は水トレイ４０の正面側と背面側とにも延びている。この仕切板４６は、水トレイ４０の下方においてハウジングの下壁７３に当たり、正面側ではフィルタ支持部材８０に当たり、背面側ではファンケーシング７０に当たって、ハウジングの空間Ｓｐ２とその外部空間とを仕切っている。
【００４７】
図８（ｃ）に示すように、仕切壁４３には、開口部４３ａが設けられており、この開口部４３ａによって、受水部４１とロータ浸漬部４２とが繋がっている。そのため、水タンク３０から受水部４１に供給された水は、開口部４３ａを通ってロータ浸漬部４２に流れ込む。水タンク３０に水が残っているときの水位が、２点鎖線４３ｂで示されている。この高さまで水位があると開口部４３ａが水によって塞がれているため、開口部４３ａが空気のバイパス経路となることはない。
【００４８】
図９（ａ）には、図８に示した部品の背面図が示され、図９（ｂ）には図９（ａ）のＩ−Ｉ線断面が示されている。また、水トレイ４０の下面側山形凸部４０ｈの周辺を拡大したものが図１０に示されている。下面４０ｅには、前方リブ４０ｆと後方リブ４０ｇと下面側山形凸部４０ｈと凹部４０ｉと凸部４０ｊが形成されている。図９（ａ）及び図９（ｂ）から分かるように、下面４０ｅからの高さは、後方リブ４０ｇの方が前方リブ４０ｆよりも低くなっている。
【００４９】
下面側山形凸部４０ｈは、水トレイ４０の下面４０ｅから頂部までの高さが、下面４０ｅから後方リブ４０ｇまでの高さよりも高くなっている。
【００５０】
下面側山形凸部４０ｈを挟んで後方リブ４０ｇの反対側に、凹部４０ｉが形成されている。この凹部４０ｉには後述する本体側山形凸部が嵌まり込む。この凹部４０ｉに本体側山形凸部が嵌まり込んだときには、上面が平らな凸部４０ｊの上面が後述するハウジングの下壁７３の支持面に接するように構成されている。
【００５１】
（２−３）加湿ロータ
図６に示す加湿ロータ５０は、リング状フレーム５２に円盤状の多孔質の気化フィルタ５１が取り付けられた構造を有する。加湿ロータ５０は、この気化フィルタ５１から水を気化させて加湿を行う。そのために、加湿ロータ５０の回転に連れて、乾いた気化フィルタ５１の下部がロータ浸漬部４２の水に漬かるように設計されている。また、気化フィルタ５１への給水を補助するために、水溜部５３によってロータ浸漬部４２から水を汲みあげる。水溜部５３からリング状フレーム５２の内周に続くリング状フレーム５２の穴（図示省略）を通って、リング状フレーム５２の内周の気化フィルタ５１に水を供給することができるよう構成されている。図示を省略しているが、加湿ロータ５０は加湿運転時にモータによって回転される。
【００５２】
（２−４）シロッコファンとファンケーシング
図６の状態から加湿ロータ５０及び軸受け４４を取り除いた状態を図１３に示す。加湿ロータ５０を取り除くことにより、加湿ロータ５０の下流側にあるシロッコファン１６が見える。シロッコファン１６へは、ハウジングの後壁７４の開口部７６から加湿された空気が供給される。
【００５３】
（２−５）ハウジングの支持面と支持面側突出部
図１１はファンケーシングの構造を示す斜視図である。ハウジングの下壁７３は、ファンケーシング７０の一部である。下壁７３の平らな部分が、水トレイ４０を支える支持面７５である。この支持面７５はスタンド２５よりも高い位置に設けられている。この支持面７５の上を水トレイ４０の前方リブ４０ｆが摺動する。そして、水トレイ４０は、スタンド２５から離れており、水トレイ４０の被ロック部である下面側山形凸部４０ｈがスタンド２５の上面には擦れないようになっている。
【００５４】
また、支持面７５には、支持面側山形凸部７５ａと内部凸部７５ｂが設けられている。この支持面側山形凸部７５ａ及び内部凸部７５ｂの上を水トレイ４０の後方リブ４０ｇが摺動する。そして、支持面側山形凸部７５ａと下面側山形凸部４０ｈとによって水トレイ４０がロックされる。このように、本体側のロック部を構成する支持面側山形凸部７５ａは、空間Ｓｐ２を形成するためのハウジングの内部に設けられている。
【００５５】
支持面側山形凸部７５ａも内部凸部７５ｂもいずれも後方リブ４０ｇよりも広い幅を有している。つまり、挿入方向（ｘ軸方向）に対して垂直な方向（ｙ軸方向）に長い形状を有している。そして、ｙ軸方向に垂直な断面（ｘ−ｚ平面で切断した断面）について略三角形の形状を呈する。
【００５６】
（３）水トレイの装着とロック
（３−１）水トレイの装着
水トレイ４０の装着を説明し易くするため、水トレイ４０とともに装着される加湿ロータ５０と軸受け４４を除くとともに、本体ケーシング２０とフィルタ支持部材８０などを取り除いた状態を示す図１１乃至図１３を用いて説明する。また、図１２の状態においてｘ−ｚ平面で切断した断面を図１４に示す。フィルタ支持部材８０を取りつけた状態において、ｙ−ｚ平面で切断した断面の一部を拡大したものを図１５に示す。また、図１３の状態においてｘ−ｚ平面で切断した断面を図１６に示す。
【００５７】
水トレイ４０が取り外されている状態に対応するのが図１１に示す状態である。水トレイ４０は、図１１の紙面右側からｘ軸方向に沿って挿入される。
【００５８】
図１４及び図１５に示すように、前方リブ４０ｆはファンケーシング７０の支持面７５の上を摺動し、後方リブ４０ｇは支持面側山形凸部７５ａの上を摺動する。水トレイ４０のロータ浸漬部４２を挿入し易くするために、ロータ浸漬部４２とファンケーシング７０やフィルタ支持部材８０との間には隙間９５，９６，９７が設けられている。この隙間９５，９６，９７は装着が完了した時点では仕切板４６によって塞がれる。
【００５９】
図１６に示すように装着が完了した状態では、支持面側山形凸部７５ａに下面側山形凸部４０ｈが当たることによって水トレイ４０が簡単には抜けないようになっている。図１６に示すように、この時点において、支持面側山形凸部７５ａも下面側山形凸部４０ｈも仕切板４５，４６及び仕切壁４３よりも、加湿ロータ５０が収納される空間Ｓｐ２の側に配置されている。そして、このとき、後方リブ４０ｇが内部凸部７５ｂによっても支持されている。そのため、水トレイ４０の先端側において、ｘ軸周りの回転を起し難くなり、安定性が増す。
【００６０】
（３−２）水トレイのロック
装着が完了した状態の支持面側山形凸部７５ａ及び下面側山形凸部４０ｈの周囲の拡大断面を図１７に示す。図１７に示す断面においては、支持面側山形凸部７５ａが凹部４０ｉに嵌まって、支持面側山形凸部７５ａの頂部が下面４０ｅには接触しない状態となっている。そして、後方リブ４０ｇの側は、凸面が平らな凸部４０ｊが支持面７５に接することによって支えられている。
【００６１】
図１７に示すように、下面側山形凸部４０ｈの外側斜面４０ｈｎが下面側山形凸部４０ｈの内側斜面４０ｈｍに対して傾斜が急になっている。また、支持面側山形凸部７５ａでは、内側斜面７５ａｍの方が外側斜面７５ａｎよりも傾斜が急になっている。
【００６２】
このような形状の下面側山形凸部４０ｈが後方リブ４０ｇよりも支持面側に突出している。この下面側山形凸部４０ｈは、支持面側山形凸部７５ａの頂部と後方リブ４０ｇとが摺動している摺動領域よりも支持面側に突出していることになる。このような支持面側山形凸部７５ａ及び下面側山形凸部４０ｈがあることで、水トレイ４０の装着時に支持面側山形凸部７５ａに下面側山形凸部４０ｈが接触するまでに要した力よりも強い力で押し込まなければ水トレイ４０が押し込まれない構造になっている。ただし、下面側山形凸部４０ｈの内側斜面４０ｈｍと支持面側山形凸部７５ａの外側斜面７５ａｎがいずれも比較的緩やかな傾斜になっているため、水トレイ４０を押し込むだけで下面側山形凸部４０ｈが支持面側山形凸部７５ａを登る。つまり、水トレイ４０を押し込む動作によって、水トレイ４０の下面４０ｅが支持面７５に押されて持ち上がることになる。
【００６３】
既に説明したように、装着が完了した状態では、下面４０ｅの凹部４０ｉに支持面側山形凸部７５ａが嵌まり込むため、下面側山形凸部４０ｈが支持面側山形凸部７５ａに押し上げられることによって持ち上がった水トレイ４０が下がる。この状態では、下面側山形凸部４０ｈの傾斜の急な外側斜面４０ｈｎに、支持面側山形凸部７５ａの傾斜の急な内側斜面７５ａｍが接しているので、水トレイ４０を持ち上げて引き抜くなどの操作が必要になる。このように、水トレイ４０が簡単には抜けない構造になっている。
【００６４】
また、このように装着が完了した状態では、図５に示すシール部材９０や図１１に示すシール部材９２を変形させるほど水トレイ４０がファンケーシング７０に強くロックされる。その上さらに、水タンク３０が水トレイ４０の上に置かれると、水タンク３０の重みで水トレイ４０とファンケーシング７０との間のロックが外れ難くなる。このとき、水タンク３０が仕切板４５のパッド９１を押すことで、シール部材９０，９２を仕切板４５が押す方向に力が加わり、さらに隙間が生じ難くなる。
【００６５】
（４）特徴
（４−１）
ファンケーシング７０（本体）の支持面７５に支持面側山形凸部７５ａ（ロック部）を有している。この支持面７５は、加湿ロータ５０（加湿エレメント）を収納するためのハウジングの下壁７３の一部をなす。加湿ロータ５０の周囲を含む空間Ｓｐ２（内部空間）は、水トレイ４０とファンケーシング７０とフィルタ支持部材８０とによって外部空間Ｓｐ１から仕切られている。ここで、外部空間Ｓｐ１は、本体ケーシング２０と仕切板４５などとの間にできる内部だけでなく、本体ケーシング２０の外部を含む空間である。そして、水トレイ４０の下面側山形凸部４０ｈ（被ロック部）は、ファンケーシング７０に装着されたときに、外部空間Ｓｐ１に面しないところで支持面側山形凸部７５ａにロックされる。そのため、水トレイ４０が装着されると支持面側山形凸部７５ａや下面側山形凸部４０ｈが見えないだけでなく、水トレイ４０の装着時に、外部空間Ｓｐ１に位置するスタンド２５などの意匠面に下面側山形凸部４０ｈによって傷がつく恐れもなくなる。それにより、加湿機能のために水トレイ４０を側方から装着しなければならない場合であっても、意匠性に優れた空気清浄機１０を提供できる。
【００６６】
特に、本体ケーシング２０の下方部が椀状に成形されている場合には、底部７７にスタンド２５が設けられ、安定が図られる。このスタンド２５に支持面側山形凸部７５ａ（ロック部）が設けられないため、スタンド２５の意匠性が損なわれない。同時に、下面側山形凸部４０ｈによってスタンド２５の上面が傷つくこともないので、美しい意匠が保たれる。
【００６７】
（４−２）
水トレイ４０の下面側山形凸部４０ｈ（被ロック部）は、仕切板４５，４６よりも加湿ロータ５０（加湿エレメント）の側で、支持面側山形凸部７５ａ（ロック部）にロックされる。それにより、水トレイ４０は支持面側山形凸部７５ａによって、加湿ロータ５０の側に押されることになり、ハウジングを形成するファンケーシング７０やフィルタ支持部材８０のシール部材９０，９２に仕切板４５が押し付けられ、或いはファンケーシング７０に仕切板４６が押し付けられることになる。それにより、外部空間Ｓｐ１から内部の空間Ｓｐ２に通じる隙間の発生が防止され、加湿機能や空気清浄機能の低下が防止される。
【００６８】
（４−３）
水トレイ４０の下面側山形凸部４０ｈは、装着時に支持面側山形凸部７５ａに突き当たるように構成されている。下面側山形凸部４０ｈが支持面側山形凸部７５ａに突き当たった状態では、図１７に示す支持面側山形凸部７５ａの外側斜面７５ａｎに、下面側山形凸部４０ｈの内側斜面４０ｈｍが乗り上げる。そのため、支持面側山形凸部７５ａの頂部を後方リブ４０ｇが摺動していたときの力よりも強い力で押し込まなければ、図１７に示すような装着完了の状態に移行させることができない。そのため、ユーザーは、ロックの始まりを手に伝わる下面側山形凸部４０ｈが支持面側山形凸部７５ａを乗り上げるときに受ける感覚で知覚して、水トレイ４０の装着の完了に向かって操作していることを認識することができる。それにより、ロックの機構が見えなくても水トレイ４０の装着が行ない易くなる。
【００６９】
また、このような後方リブ４０ｇよりも下面側山形凸部４０ｈを突出させる構造や、後方リブ４０ｇを摺動させるための支持面側山形凸部７５ａの構造は、プラスチックの射出成形などによって水トレイ４０やファンケーシング７０の成形と同時に行なえるので、安価に形成することができる。
【００７０】
（４−４）
ファンケーシング７０及びフィルタ支持部材８０（本体）において、水トレイ４０の仕切板４５が重なる部分には、シール部材９０，９２が形成されている。また、支持面側山形凸部７５ａは単なる突出部分として形成されており、その周囲のファンケーシング７０には開口部を設ける必要がない。そのため、内部の空間Ｓｐ２から外部空間Ｓｐ１に通じる空気の経路の発生を防止できる。それにより、加湿機能の低下や空気清浄機能の低下を防ぐことができる。
【００７１】
（５）変形例
（５−１）変形例１Ａ
上記実施形態では、加湿エレメントに加湿ロータ５０を用いる気化加湿方式を例に挙げたが、加湿エレメントには加湿ロータ５０を用いない、例えばヒータ加湿方式や超音波加湿方式などの他の加湿方式を用いることができる。
【符号の説明】
【００７２】
１０  空気清浄機
２０  本体ケーシング
３０  水タンク
４０  水トレイ
５０  加湿ロータ
７０  ファンケーシング
８０  フィルタ支持部材
【先行技術文献】
【特許文献】
【００７３】
【特許文献１】特開２００９−１４８３０５号公報
【図１】
0005447251.tif 000002
【図２】
0005447251.tif 000003
【図３】
0005447251.tif 000004
【図４】
0005447251.tif 000005
【図５】
0005447251.tif 000006
【図６】
0005447251.tif 000007
【図７】
0005447251.tif 000008
【図８】
0005447251.tif 000009
【図９】
0005447251.tif 000010
【図１０】
0005447251.tif 000011
【図１１】
0005447251.tif 000012
【図１２】
0005447251.tif 000013
【図１３】
0005447251.tif 000014
【図１４】
0005447251.tif 000015
【図１５】
0005447251.tif 000016
【図１６】
0005447251.tif 000017
【図１７】
0005447251.tif 000018